(57)【特許請求の範囲】
【請求項１】
底面から上面のレーベル印刷面の近くまで透明基板が設けられており透明基板の上端部には情報を記録したピットが形成されておりこのピットが反射層で被覆されることで信号記録面が形成されている光ディスクを記録または再生する光ディスク装置において、
少なくとも１つの発光手段と、
発光手段から発光された光がディスクによって反射し戻ってくる光を受光する受光手段と、
ディスク底面に近接または当接するように配置され、発光手段からの光が直接受光手段に到達しないようにすると共に、光ディスクの信号記録面との間の距離に応じて前記発光手段から受光手段に至る光束の幅を制限することにより受光手段の受光量を変化させる遮蔽手段とを備え、
発光手段からの光を光ディスクの信号記録面またはディスク裏面に照射させ、信号記録面で反射した光を遮蔽手段と信号記録面の隙間から前記受光手段に導き、受光手段の受光の有無によって光ディスクの表裏を検出することを特徴とする光ディスク装置のディスク検出装置。
【請求項２】
ディスクの搬送用ローラを前記遮蔽手段とし、搬送用ローラのディスク移動方向の前後に前記発光手段および受光手段を配置した請求項１のディスク検出装置。
【請求項３】
前記発光手段と、受光手段と、遮蔽手段は、ディスクを搬送するトレイに装着することを特徴とする請求項１のディスク検出装置。
【請求項４】
前記発光手段と、受光手段と、遮蔽手段は、ディスクを予め収納する収納体に装着することを特徴とする請求項１のディスク検出装置。
【発明の詳細な説明】
【０００１】
【発明の属する技術分野】
本発明は光ディスク記録再生装置に係り、特に装置に装着する光ディスクの表裏を装着前に判別することができるディスク検出装置に関する。
【０００２】
【従来の技術】
従来の光ディスク検出装置の例を図９乃至図１２により説明する。図９および１０に示す光ディスク記録再生装置１０には、挿入口１１に挿入された光ディスク１を記録再生位置まで搬送するディスク搬送機構を備えている。
【０００３】
図１１および図１２にディスク搬送機構を示している。図に示すローラ１４は図示していない保持部材によりガイド１５の方向に付勢されており、駆動機構により回転駆動される。図９、図１０および図１２に示すように光ディスク１の搬送径路を挟むよう発光素子１２と受光素子１３が配置されている。図９に示すように光ディスク１が挿入されていないときは、発光素子１２からの光を受光素子１３が受光し待機状態となっている。
【０００４】
図１０に示すように光ディスク１を挿入すると、発光素子１２からの光が光ディスク１により遮断され、受光素子１３で受光できなくなる。そして、受光素子１３の出力を判定回路が判断し、ディスク搬送機構が始動され、光ディスク１が記録再生位置まで搬送される。
【０００５】
図１は光ディスク１の一部の断面構造を示す。光ディスク１の全体の厚みは約１．２ｍｍであり、底面２から上面のレーべル印刷面８の近くまで透明基板３が設けられている。透明基板３の上端部には情報を記録したピット４が形成されており、このピット４が反射層５で被覆されることで、信号記録面（反射面）６が形成されている。反射層５の上には保護層７が設けられており、この保護層７の上がレーべル印刷面８となっている。
【０００６】
光ディスク１の記録信号は透明基板３の底面２の下側から照射したレーザビーム（破線Ａ参照）で読み取られる。底面２にはレーザビームＡの透過を妨げないようにするために保護層は設けられていない。一般的に透明基板３の材質はポリカーボネートであり、保護層７より硬度は低い。
【０００７】
ところで、従来の光ディスクの搬送機構の例で説明すると、光ディスク１は図１１に示すように、ローラ１４とガイド１５に挟圧されてローラ１４の回転により送られる。ガイド１５の光ディスクと接触する側には傾斜部１５ａが設けられており、光ディスクの円周エッジが傾斜部１５ａと接触する。従って、光ディスクのレーベル印刷面８は搬送中に傷を付けないようになっている。
【０００８】
【発明が解決しようとする課題】
上記した従来の光ディスク検出装置では、使用者がディスクの表裏を間違って光ディスクを挿入した場合でも、光ディスクが挿入されたことを検出するため、搬送機構が起動して光ディスクは再生位置まで搬送される。その後、信号読取り用の光ピックアップで読取り不良が発生し、初めてディスクの誤挿入が検出されディスクを排出して使用者にディスク誤挿入を知らせる。従って、使用者がディスク誤挿入に気付くまでに長時間を要するという問題があった。
【０００９】
さらに、ディスクをローラで挟んで送る搬送機構の場合、ガイド１５の傾斜部１５ａに硬質のゴミが付着していると、保護層７のあるレーベル印刷面８では傷にならないが、保護層のない底面２では傷が付く場合があり、使用者がディスクを誤挿入したために光ディスクの読取り側に傷を付けてしまうという問題があった。
【００１０】
本発明は上記した点に鑑みてなされたものであって、その目的とするところは、光ディスクの搬送機構がディスクを再生位置に搬送する前に、ディスク誤挿入を検出することができる光ディスク装置のディスク検出装置を提供することにある。
【００１２】
【課題を解決するための手段】
この発明の光ディスク装置のディスク検出装置は、底面から上面のレーベル印刷面の近くまで透明基板が設けられており透明基板の上端部には情報を記録したピットが形成されておりこのピットが反射層で被覆されることで信号記録面が形成されている光ディスクを記録または再生する光ディスク装置において、少なくとも１つの発光手段と、発光手段から発光された光がディスクによって反射し戻ってくる光を受光する受光手段と、ディスク底面に近接または当接するように配置され、発光手段からの光が直接受光手段に到達しないようにすると共に、光ディスクの信号記録面との間の距離に応じて前記発光手段から受光手段に至る光束の幅を制限することにより受光手段の受光量を変化させる遮蔽手段とを備え、発光手段からの光を光ディスクの信号記録面またはディスク裏面に照射させ、信号記録面で反射した光を遮蔽手段と信号記録面の隙間から前記受光手段に導き、受光手段の受光の有無によって光ディスクの表裏を検出することを特徴とする。
【００１３】
また、前記ディスク検出装置において、ディスクの搬送用ローラを、前記遮蔽手段とし、搬送用ローラのディスク移動方向の前後に前記発光手段および受光手段を配置したものである。
【００１４】
また、同ディスク検出装置において、前記発光手段と、受光手段と、遮蔽手段は、ディスクを搬送するトレイに装着するものである。
【００１５】
さらに、同ディスク検出装置において、前記発光手段と、受光手段と、遮蔽手段は、ディスクを予め収納する収納体に装着するものである。
【００１６】
【発明の実施の形態】
以下、図面に基づいて本発明の実施例を説明する。図２乃至図５は、本発明の第１の実施例を示す。図２は本発明の第１の実施例を示す部分正面図であり、図３は図２におけるＡ−Ａ断面図である。また、図４および図５は同実施例の作用を説明するための拡大部分側面図である。なお、図２および図３において、図４および図５に示した発光素子１２および受光素子１３の図示を省略している。
【００１７】
図に示す光ディスク１は光ディスク記録再生装置１０のディスク挿入口１１から挿入される。光ディスク１はディスク搬送用ローラ１４と、ディスクガイド１５の間に挟圧され、ディスク搬送用ローラ１４が回転することによりディスクを再生可能な位置まで搬送される。この実施例では、発光素子１６と受光素子１７を、ディスク搬送用ローラ１４の、ディスク進行方向の前後に配置してある。
【００１８】
図４は、光ディスク１が正常な状態で挿入された場合を示している。発光素子１６から発光された光は、透明基板３を通り光ディスク１の信号記録面６で反射し、受光素子１７によって受光される。ＣＤの場合、ディスクの底面２と信号記録面６の間の距離が約１．２ｍｍであり、この間を通過可能な光のみ受光素子１７によって受光される。
【００１９】
一方、図５は、光ディスク１が裏返された状態で挿入された場合を示している。この場合は反射層５とローラ１４との間に光の通過する隙間がないため、発光素子１６からの光を受光素子１７で受光できない。従って、ディスク搬送用モータは起動しない。通常はここで誤挿入に気付くがさらに使用者がディスクを押込んだ場合、光ディスク１を挟むように配置された発光素子１２と受光素子１３がディスクの挿入を検出しているにも拘らず、受光素子１７が発光素子１６からの光を検出しないとディスクの誤挿入が検出され、ローラ１４を逆転させてディスクを排出する等して使用者に誤挿入を知らせる。
【００２０】
本発明の実施例では、発光源として発光ダイオードを用いているが、これに限られず、レーザダイオードなどを用いてもよい。受光素子としては、フォトトランジスタ以外にフォトダイオードなどを用いてもよい。従って、発光素子、受光素子共に、廉価な部品で構成できるので、低コストで実施できる。また、遮蔽手段として搬送用ローラを用いているが、それ以外にプリズム等を用いて光学的に遮蔽してもよい。
【００２１】
また、誤挿入のままローラでディスクを搬送することがないので、ディスクの読取り側の面を傷つけることがなくなる。
【００２２】
第６乃至図８は本発明の第２の実施例を示す。この実施例では光ディスク記録再生装置２０の本体に出入するトレイ２１が設けられている。光ディスク１はトレイ２１に形成したディスク載置部２３に載せられ、トレイ２１と共にディスク記録再生装置２０内部に収納される。トレイ２１に設けた開口部２２を介して光ピックアップからの照射ビームによって信号の再生または記録を行うようになっている。
【００２３】
ディスク載置部２３に図７および８に示す発光素子１６と受光素子１７と遮蔽板１８を含むディスク検出装置２４を設置している。なお、ディスク検出装置２４はわかりやすくするために正確な比率では描かれていない。また、発光素子１６と受光素子１７を駆動するための回路系は図示しない。
【００２４】
図７および図８は、図６におけるディスク検出装置２４の作用を示す。ディスク検出装置２４は発光ダイオードからなる発光素子１６とフォトトランジスタからなる受光素子１７により構成される。図６は、光ディスク１が正常な状態でトレイに載置された場合を示している。発光素子１６から発光された光は、透明基板３を通り光ディスク１の信号記録面６で反射し、受光素子１７によって受光される。ＣＤの場合、ディスクの底面２と信号記録面６の間の距離が約１．２ｍｍであり、この間を通過可能な光のみ受光素子１７によって受光される。
【００２５】
一方、図８は、光ディスク１が裏返された状態でトレイに載置された状態を示している。この場合は反射層５と遮蔽板１８との間に光の通過する隙間がないため、発光素子１６からの光を受光素子１７で受光できない。この場合、トレイは本体内に引き込まれず、表示部に光ディスクが裏返されて載置されたことを表示する。この実施例において、ディスクの有無を検出する検出手段（図示しない）を設けてもよい。
【００２６】
第１、第２の実施例では例えディスクにレーベルが貼ってなくとも、ディスクが裏返された状態では発光素子からの光が通過する隙間がないため受光素子が受光しないので、ディスクの表裏の検出は可能である。
【００２８】
実施例は上記のように構成されているが、発明はこれに限らず、例えば、第２の実施例の発光素子１６と受光素子１７は光ディスクを予め収納する収納体いわゆるカートリッジ例えば、チェンジャーのマガジン等に設置してもよい。
【００２９】
【発明の効果】
本発明のディスク検出装置によれば、使用者が間違ってディスクを挿入またはトレイ等に載置した場合に、それを検出する時間が大幅に短縮される。
【図面の簡単な説明】
【図１】本発明に適用される光ディスクの構造を一部省略して示す断面図である。
【図２】本発明の第１の実施例を示す部分正面図である。
【図３】図２におけるＡ−Ａ断面図である。
【図４】同実施例の作用を説明するための拡大部分側面図である。
【図５】同実施例の作用を説明するための拡大部分側面図である。
【図６】本発明の第２の実施例を示す斜視図である。
【図７】同実施例の作用を説明するための拡大部分側面図である。
【図８】同実施例の作用を説明するための拡大部分側面図である。
【図９】従来の例を示す斜視図である。
【図１０】同例を示す斜視図である。
【図１１】同例を示す部分正面図である。
【図１２】図１１におけるＡ−Ａ断面図である。
【符号の説明】
１  光ディスク
２  底面
３  透明基板
４  ピット
５  反射層
６  信号記録面
７  保護層
８  レーベル印刷面
１０  光ディスク記録再生装置
１１  挿入口
１２  発光素子
１３  受光素子
１４  ローラ
１５  ガイド、１５ａ  傾斜部
１６  発光素子
１７  受光素子
１８  遮蔽板
２０  光ディスク記録再生装置
２１  トレイ
２２  開口部
２３  ディスク載置部
２４  ディスク検出装置
【図１】
0003585080.tif 000002
【図２】
0003585080.tif 000003
【図３】
0003585080.tif 000004
【図４】
0003585080.tif 000005
【図５】
0003585080.tif 000006
【図６】
0003585080.tif 000007
【図７】
0003585080.tif 000008
【図８】
0003585080.tif 000009
【図９】
0003585080.tif 000010
【図１０】
0003585080.tif 000011
【図１１】
0003585080.tif 000012
【図１２】
0003585080.tif 000013